(57)【要約】　　　（修正有）【課題】カートに兼用可能なリュックサックを提供する。【解決手段】リュック本体２の使用者の背中に接する側２ｃに一対のショルダーベルト３が備えられ、底部２ａに少なくとも一対のキャスター４が取り付けられ、上部２ｅにハンドル５が設けられたリュックサック１において、一対のショルダーベルト３が、リュック本体２に格納可能に構成される。また、各キャスター４を覆う防汚カバー８が、リュック本体２の底部２ａに着脱自在に取り付けられるとともに、リュック本体２に格納可能に構成される。【選択図】　　図１
0003098518.tif 000002
【実用新案登録請求の範囲】
【請求項１】
リュック本体の使用者の背中に接する側に一対のショルダーベルトが備えられてリュックサックとして使用可能であるとともに、リュック本体の底部に少なくとも一対のキャスターが取り付けられ、リュック本体の上部にハンドルが設けられてカートとして使用可能なリュックサックにおいて、
前記一対のショルダーベルトが、リュック本体に格納可能に構成されたことを特徴とするリュックサック。
【請求項２】
前記各キャスターを覆う防汚カバーが、リュック本体の底部に着脱自在に取り付けられたことを特徴とする請求項１記載のリュックサック。
【請求項３】
前記防汚カバーが、リュック本体に格納可能に構成されたことを特徴とする請求項２記載のリュックサック。
【考案の詳細な説明】
【０００１】
【考案の属する技術分野】
本考案は、リュックサックに関する。
【０００２】
【従来の技術】
リュックサックは、リュック本体の背面側（使用者の背中に接する側）に備えられたショルダーベルトに使用者が腕を通し、肩にかけて背負うことにより、使用者の両手を解放して収納物を持ち運ぶことができるため、広く用いられている。
【０００３】
しかし、収納物が重くなると、ショルダーベルトを介して使用者の肩に大きな荷重がかかり、使用者の肩や腰等に、大きなダメージを与える。このため、キャスターが取り付けられて、カートとしても使用することができるリュックサックが提案されている。
【０００４】
【考案が解決しようとする課題】
しかしながら、リュックサックのショルダーベルトは、使用者の腕を通すための緩みを要するとともに、使用者の体型等に応じて長さを調整する必要があるため、余裕のある長さに設定されている。このため、リュックサックをカートとして使用する際、ショルダーベルトが地面や床面に垂れ下がった状態で引きずられることから、ショルダーベルトに土やゴミ等が付着するといった不都合が生じる。しかも、カートとして使用した後に再びリュックサックを背負うと、この引きずられたショルダーベルトやキャスターに付着した土やゴミ等によって、使用者の衣服が汚れてしまう。
【０００５】
本考案は、上記のような事情に鑑み創作されたものであって、カートに兼用可能なリュックサックにおいて、カートとしての使用時には、ショルダーベルトをリュック本体に格納し、また、リュックサックとしての使用時には、キャスターを被覆することのできるリュックサックの提供を目的とする。
【０００６】
【課題を解決するための手段】
上記の目的を達成するため、本考案は、リュック本体の使用者の背中に接する側に一対のショルダーベルトが備えられてリュックサックとして使用可能であるとともに、リュック本体の底部に少なくとも一対のキャスターが取り付けられ、リュック本体の上部にハンドルが設けられてカートとして使用可能なリュックサックにおいて、前記一対のショルダーベルトが、リュック本体に格納可能に構成されたことを特徴とする。
【０００７】
この考案によれば、カートとしての使用時に、一対のショルダーベルトをリュック本体に格納することができるので、ショルダーベルトを引きずることなく、リュックサックを好適に牽引することができる。
【０００８】
本考案は、上記構成のリュックサックにおいて、前記各キャスターを覆う防汚カバーが、リュック本体の底部に着脱自在に取り付けられたことを特徴とする。
【０００９】
この考案によれば、リュックサックとしての使用時に、キャスターを防汚カバーで被覆することができるので、キャスターに付着した土やゴミ等によって使用者の衣服が汚れることを防止できる。
【００１０】
本考案は、上記構成のリュックサックにおいて、前記防汚カバーが、リュック本体に格納可能に構成されたことを特徴とする。
【００１１】
この考案によれば、カートとしての使用時に、防汚カバーをリュック本体に格納することができるので、防汚カバーが邪魔になることがない。
【００１２】
【考案の実施の形態】
以下、本考案のリュックサック１の実施の形態について図面を参照しながら説明する。
【００１３】
図１および図２には、本考案のリュックサック１の実施形態が示されている。
【００１４】
このリュックサック１は、リュック本体２と、リュック本体２に取り付けられた一対のショルダーベルト３、３と、一対のキャスター４、４と、ハンドル５と、から構成されている。
【００１５】
リュック本体２は、内部が収納空間とされた袋状体であって、底部２ａから、左右の側面部２ｄ、２ｄと、使用者の背中に接する背面部２ｃと、背面部２ｃと対向する前面部２ｂと、が立ち上げられ、上面は、上部２ｅによって閉鎖されている。また、前面部２ｂは、ファスナー２０を介して側面部２ｄおよび上部２ｅに対して開閉自在に構成されている。
【００１６】
ショルダーベルト３は、一端部がリュック本体２の背面部２ｃの上端縁近傍に逢着され、他端部に接続具３３が取り付けられたベルト本体３１と、一端部が後述するカバー部６の切欠き６ａ近傍の格納部７に逢着され、ベルト本体３１に接続具３３を介して取り付けられるアジャスターベルト３２と、から構成されている。
【００１７】
なお、ショルダーベルト３の一端部間には、リュックサック１を持ち運ぶ際に使用者が掴むための把手３４が取り付けられている。
【００１８】
キャスター４は、リュック本体２の底部２ａに取付具４０を介して背面部２ｃに接近して取り付けられている。さらに、底部２ａには、前面部２ｂに接近して、キャスター４に対応する一対の支持脚４１、４１が取り付けられている。キャスター４の高さと支軸脚４１の高さとは略同一に設定されており、リュックサック１を地面や床面上に載置する際、キャスター４と支持脚４１とが同時に接地してリュックサック１を安定して起立させることができる。そして、リュックサック１を傾斜して支持脚４１を地面等から離隔させ、キャスター４のみを接地させることにより、リュックサック１を牽引することができる。
【００１９】
ハンドル５は、リュック本体２の背面部２ｃに取り付けられた一対の外パイプ５１、５１と、この各外パイプ５１に摺動自在に嵌挿される一対の内パイプ５２、５２と、各内パイプ５２の上端縁を連結するグリップ部５３と、からなり、通常、グリップ部５３と外パイプ５１の上端縁とが当接するまで内パイプ５２を外パイプ５１に押込んでリュック本体２の上面から突出しない位置に設定され、グリップ部５３を把握して上方に牽引することにより、外パイプ５１に対して内パイプ５２を伸長させてグリップ部５３をリュック本体２の上部２ｅから突出させることができる（図４参照）。
【００２０】
なお、外パイプ５１の下端は、キャスター４の取付具４０に接続されている。また、各外パイプ５１には、ストッパ５４が設けられており、外パイプ５１から引き出した内パイプ５２を所望位置にて固定することができるようになされている。
【００２１】
また、リュック本体２の背面部２ｃには、ハンドル５の外パイプ５１を被覆するカバー部６が設けられている。このカバー部６は、左右の端縁がリュック本体２の左右の側面部２ｄ近傍に逢着され、上端縁、下端縁のいずれも開放されたクッション性を有する素材で形成されており、使用者がリュックサック１を背負った際、ハンドル５の外パイプ５１が使用者の背中に直接当たらないようになされている。
【００２２】
さらに、このカバー部６の下部両側端は切り欠かれて切欠き６ａ，６ａが形成されており、各アジャスターベルト３２が各切欠き６ａからそれぞれ出し入れ可能に形成されている。
【００２３】
さらにまた、カバー部６の内側には、ショルダーベルト３を格納可能な格納部７が形成されている。
【００２４】
格納部７は、左右の端縁および下端縁がカバー部６の内面に逢着されており、開口された上端縁からベルト本体３１を出し入れ可能に形成されている。また、格納部７の下部両側端には、ショルダーベルト３のアジャスターベルト３２の一端部がそれぞれ逢着されている。
【００２５】
なお、カバー部６は上記の構成に限られるものではなく、例えば、カバー部６の左右いずれか一方の端縁がリュック本体２に逢着され、他方の端縁とリュック本体２とが面ファスナー等を介して着脱自在に構成してもよい。この場合、ベルト本体３１とアジャスターベルト３２とを接続したまま、カバー部６内にショルダーベルト３を格納することができる。また、格納部７を必ずしも設ける必要もない。
【００２６】
リュック本体２のカバー部６の下部には、図２に示すように、防汚カバー収納ポケット９が設けられている。そして、この防汚カバー収納ポケット９内部にキャスター４を覆う舌片状の防汚カバー８の一端が取り付けられており、防汚カバー８の不使用時には、防汚カバー８を防汚カバー収納ポケット９内に格納できるようになされている。防汚カバー収納ポケット９は、ファスナー９ａにより開閉可能に構成されており、カートとしての使用時に、防汚カバー８をポケット９内に収納してファスナー９ａを閉じると、防汚カバー８が邪魔になることはない。
【００２７】
また、防汚カバー８の他端には、面ファスナー８ａが取り付けられており、この面ファスナー８ａと係合する面ファスナー２１が、リュック本体２の底部２ａのキャスター４と支持脚４１との間に取り付けられている（図２（ａ）参照）。
【００２８】
なお、キャスター４に対応する位置の防汚カバー８を、キャスター４の外形に沿うようにカーブを持たせて形成すると、より好適にキャスター４を被覆することができる（図２（ｂ）参照）。
【００２９】
次に、上記した構成のリュックサック１の使用方法を図３、および図４を参照しながら説明する。
【００３０】
リュックサックとして使用する場合、使用者は、まずショルダーベルト３を格納部７および切欠き６ａから引き出して、ベルト本体３１とアジャスターベルト３２とを接続具３３を介して接続し、所望の長さに調節しておく。また、図３に示すように、防汚カバー８を防汚カバー収納ポケット９から引き出して、キャスター４を覆い、面ファスナー８ａを介してリュック本体２の底部２ａに取り付ける。さらに、ハンドル５の内パイプ５２を外パイプ５１に押込んで、ストッパ５４で止める。
【００３１】
次いで、ショルダーベルト３に腕を通し、肩にかけて、リュックサック１を背負って荷物を運ぶ。この際、キャスター４は防汚カバー８で覆われているので、使用者の衣服が汚れることを防止できる。
【００３２】
カートとして使用する場合、使用者は、図４に示すように、防汚カバー８の面ファスナー８ａとリュック本体２の面ファスナー２１との係合を解除し、防汚カバー８を防汚カバー収納ポケット９内部に収納しておく。また、ショルダーベルト３の接続具３３を外して、ベルト本体３１を格納部７の上端縁から入れるとともに、アジャスターベルト３２をカバー部６の切欠き６ａから押込む。
【００３３】
次いで、ハンドル５の内パイプ５２を所望の位置まで引出して、ストッパ５４によりその位置で固定し、このハンドル５のグリップ部５３を持って、キャスター４によりリュックサック１を牽引する。この際、ショルダーベルト３が格納部７内に格納されているので、ショルダーベルト３を引きずることがなく、好適に牽引することができる。
【００３４】
【考案の効果】
以上説明したとおり、本考案のリュックサックによれば、カートとしての使用時には、ショルダーベルトをリュック本体に格納し、また、リュックサックとしての使用時には、キャスターを被覆することができる。
【図面の簡単な説明】
【図１】本考案のリュックサックを示す斜視図である。
【図２】本考案のリュックサックの防汚カバーの使用状態を示す斜視図である。
【図３】図１のリュックサックにおいてショルダーベルトを引き出した状態を示す斜視図である。
【図４】図１のリュックサックにおいてショルダーベルトを格納し、ハンドルを引き出した状態を示す斜視図である。
【符号の説明】
１　　　リュックサック
２　　　リュック本体
３　　　　ショルダーベルト
４　　　キャスター
５　　　ハンドル
６　　　　　　カバー部
７　　　　　　格納部
８　　　　　　防汚カバー
９　　　　　　防汚カバー収納ポケット
【図１】
0003098518.tif 000003
【図２】
0003098518.tif 000004
【図３】
0003098518.tif 000005
【図４】
0003098518.tif 000006